(57)【要約】【課題】  使用者に恐怖感を与えることがなく、眼を効果的かつ快適に洗眼できる洗眼方法および洗眼具並びに洗眼具セットを提供する。【解決手段】  眼５を洗眼する方法であって、眼５の真正面の方向Ｄを含まない傾斜した方向Ｅから眼５に一定圧以上の水圧の水流ａを当てて眼５を洗眼する。水流ａを当てる眼の場所、水流ａの強さ、水流ａの本数の少なくとも１つを調節する。開口２ｄを有する容器２を用いて、その開口２ｄの周縁部２ａを眼５の周囲の顔部分に押し当てて、当該容器２の内部で眼５に水流ａを当てる。【選択図】      図１
2006026386.tif 000002
【特許請求の範囲】
【請求項１】
眼を洗眼する方法であって、眼の真正面の方向を含まない傾斜した方向から眼に一定圧以上の水圧の水流を当てて眼を洗眼することを特徴とする洗眼方法。
【請求項２】
前記水流を当てる眼の場所、水流の強さ、水流の本数の少なくとも１つを調節することを特徴とする請求項１に記載の洗眼方法。
【請求項３】
開口を有する容器を用いて、その開口の周縁部を眼の周囲の顔部分に押し当てて、当該容器の内部で眼に前記水流を当てることを特徴とする請求項１または２に記載の洗眼方法。
【請求項４】
水流を発生する水流発生手段と、この水流を眼の真正面の方向を含まない傾斜した方向から眼に当てるときの向きを調節する水向調節手段とを備えていることを特徴とする洗眼具。
【請求項５】
前記水流を当てる眼の場所、水流の強さ、水流の本数の少なくとも１つを調節する水流調節手段を備えていることを特徴とする請求項４に記載の洗眼具。
【請求項６】
前記水流発生手段および水向調節手段と、開口の周縁部が眼の周囲の顔部分に押し当てられる容器とが組合わされてなることを特徴とする請求項４に記載の洗眼具。
【請求項７】
前記水流発生手段および水向調節手段と水流調節手段と、開口の周縁部が眼の周囲の顔部分に押し当てられる容器とが組合わされてなることを特徴とする請求項４に記載の洗眼具。
【請求項８】
前記容器は、弾性変形可能に構成されていることを特徴とする請求項６または７に記載の洗眼具。
【請求項９】
前記水流発生手段は、ポンプ体であることを特徴とする請求項４〜８のいずれか一項に記載の洗眼具。
【請求項１０】
前記洗眼具には、液体が充填されていることを特徴とする請求項４〜９のいずれか一項に記載の洗眼具。
【請求項１１】
請求項４〜１０のいずれか一項に記載の洗眼具と、この洗眼具で使用される液体が入った液体用容器とが組合わされてなることを特徴とする洗眼具セット。
【発明の詳細な説明】
【技術分野】
【０００１】
本発明は、眼を洗眼する洗眼方法および洗眼具並びに洗眼具セットに関するものである。
【背景技術】
【０００２】
従来、洗眼容器の底壁または側壁の少なくともいずれかに周囲よりも薄肉で弾性変形可能な部分を形成して、この弾性変形可能部分に対して外部から押圧を繰り返し加えて、洗眼容器内の洗眼液を大きく動揺させて洗眼液を上下させる、換言すれば、眼の真正面方向から上下させることにより、眼を洗眼する洗眼具がある（特許文献１）。
【０００３】
また、洗眼容器と液体容器との間の注入孔を複数の細孔として、洗眼液を液用容器から洗眼容器内に注入する際に洗眼液を勢いよく眼の真正面方向から噴出させることにより、眼を洗眼液に浸す前に洗眼液の液流で眼を洗い流せる洗眼具がある（特許文献２）。
【特許文献１】特開２００１−１９０６３５号公報
【特許文献２】特開２０００−２０１９９６号公報
【発明の開示】
【発明が解決しようとする課題】
【０００４】
しかしながら、特許文献１や特許文献２の洗眼具では、容器内の洗眼液を眼の真正面方向から上下若しくは噴出させるから、眼に真正面方向から水流が当たり、眼を開いて洗眼する際に、水流が迫り上がってくる恐怖感を使用者に与えるおそれがあるので、使用者は、思わず眼を閉じたり細めたり、あるいは水流を弱めるような手加減をしたりすることが多いため、効果的かつ快適に洗眼できず、取り扱いづらいという問題があった。また、水流が真正面方向から眼に当たると、周囲に拡散することから、効果的に洗眼できないという問題があった。
【０００５】
本発明は、このような事情に鑑み、使用者に恐怖感を与えることがなく、眼を効果的かつ快適に洗眼できる洗眼方法および洗眼具並びに洗眼具セットを提供することを目的とする。
【課題を解決するための手段】
【０００６】
請求項１の発明は、眼を洗眼する方法であって、眼の真正面の方向を含まない傾斜した方向から眼に一定圧以上の水圧の水流を当てて眼を洗眼することを特徴とする洗眼方法である。
【０００７】
請求項２の発明は、前記洗眼方法において、前記水流を当てる眼の場所、水流の強さ、水流の本数の少なくとも１つを調節することを特徴とするものである。
【０００８】
請求項３の発明は、前記洗眼方法において、開口を有する容器を用いて、その開口の周縁部を眼の周囲の顔部分に押し当てて、当該容器の内部で眼に前記水流を当てることを特徴とするものである。
【０００９】
請求項４の発明は、水流を発生する水流発生手段と、この水流を眼の真正面の方向を含まない傾斜した方向から眼に当てるときの向きを調節する水向調節手段とを備えていることを特徴とする洗眼具である。
【００１０】
請求項５の発明は、前記洗眼具において、水流を当てる眼の場所、水流の強さ、水流の本数の少なくとも１つを調節する水流調節手段を備えていることを特徴とするものである。
【００１１】
請求項６の発明は、前記洗眼具において、前記水流発生手段および水向調節手段と、開口の周縁部が眼の周囲の顔部分に押し当てられる容器とが組合わされてなることを特徴とするものである。
【００１２】
請求項７の発明は、前記洗眼具において、前記水流発生手段および水向調節手段と水流調節手段と、開口の周縁部が眼の周囲の顔部分に押し当てられる容器とが組合わされてなることを特徴とするものである。
【００１３】
請求項８の発明は、前記洗眼具において、前記容器は、弾性変形可能に構成されていることを特徴とするものである。
【００１４】
請求項９の発明は、前記洗眼具において、前記水流発生手段は、ポンプ体であることを特徴とするものである。
【００１５】
請求項１０の発明は、前記洗眼具において、前記洗眼具には、液体が充填されていることを特徴とするものである。
【００１６】
請求項１１の発明は、前記洗眼具と、この洗眼具で使用される液体が入った液体用容器とが組合わされてなることを特徴とする洗眼具セットである。
【発明の効果】
【００１７】
請求項１の発明によれば、眼を開いて洗眼する際に、眼の真正面の方向を含まない傾斜した方向から、眼に水流が当たるから、前記背景技術のような水流が迫り上がってくる恐怖感を使用者に与えるおそれがなくなるので、使用者は、思わず眼を閉じたり細めたり、あるいは水流を弱めるような手加減をしたりすることがないため、効果的かつ快適に洗眼できるようになる。また、水流が眼の真正面の方向を含まない傾斜した方向から眼に当たることから周囲に拡散しにくくなるので、眼を効果的に洗眼できるようになる。
【００１８】
請求項２の発明によれば、水流を当てる眼の場所、水流の強さ、水流の本数の少なくとも１つを調節することができる。
【００１９】
請求項３の発明によれば、開口の周縁部を眼の周囲の顔部分に押し当てて、容器の内部で眼に水流を当てるようにしたから、一方の手で容器を眼の周囲の顔部分に押し当てながら、他方の手で水流発生手段を操作することができる。しかも、開口の周縁部を眼の周囲の顔部分に押し当てることにより、瞼を自然に押し広げることができるので、確実に眼を見開いた状態で水流を眼に当てて、眼の汚れを落とすことができる。また、容器によって、水流を構成する液体を周囲に飛散させるおそれがない。
【００２０】
請求項４の発明によれば、水流発生手段と水向調節手段とを備えているので、水流発生手段と水向調節手段とによって、眼の真正面の方向を含まない傾斜した方向から眼に水流を当てるだけで、眼を洗眼することができる。
【００２１】
請求項５の発明によれば、水流調節手段によって、水流を当てる眼の場所、水流の強さ、水流の本数の少なくとも１つを調節することができる。
【００２２】
請求項６の発明によれば、水流発生手段および水向調節手段と、容器とを組合わせたから、一方の手で容器を眼の周囲の顔部分に押し当てながら、他方の手で水流発生手段を操作することができる。しかも、開口の周縁部を眼の周囲に押し当てることにより、瞼を自然に押し広げることができるので、眼を見開いた状態で水流を当てることができ、眼を確実に洗眼することができる。また、容器によって、水流を構成する液体を周囲に飛散させるおそれがない。
【００２３】
請求項７の発明によれば、水流発生手段および水向調節手段と水流調節手段と、容器とを組合わせたから、請求項６の発明の作用効果に加えて、水流調節手段によって、水流を当てる眼の場所、水流の強さ、水流の本数の少なくとも１つを調節することができる。
【００２４】
請求項８の発明によれば、容器を、弾性変形可能に構成したから、容器を摘んで弾性変形させた状態で眼の周囲の顔部分に当て、摘み状態を解除することにより、その復元力を利用して、より大きく眼を見開くことができる。よって、さらに確実に洗眼することができる。
【００２５】
請求項９の発明によれば、ポンプ体を押し離し操作することにより、液体を噴射して簡単に水流を生じさせることができる。
【００２６】
請求項１０の発明によれば、洗眼具には液体が充填されているので、直に洗眼することができる。また、洗眼具を携行していれば、別途液体を準備することなくこの洗眼具のみで洗眼することができ、至便性を向上させることができる。
【００２７】
請求項１１の発明によれば、さらに、洗眼具と液体が入った液体用容器とを組合わせてセットとしたから、別途液体を準備することなく、１回だけ、あるいは何回でも洗眼することが可能になる。また、洗眼具セットを携行していれば、どのような場所でも洗眼することができる。
【発明を実施するための最良の形態】
【００２８】
以下、本発明を実施するための最良の形態について説明する。
【００２９】
（１）本発明の実施形態に係る第１の洗眼方法を説明する。
【００３０】
眼の真正面の方向を含まない傾斜した方向から、眼に一定圧以上の水圧の水流を当てて眼を洗眼する。前記眼に一定圧以上の水圧の水流を当てるには、例えばスポイドや注射器のようなもの（水流発生手段としての機能を有する。）を用いて、狭くなったそれ自体の水流出口通路（水向調節手段としての機能を有する。）から水流を噴射させて眼に当てることができる。前記水流の液体は、例えば生理食塩水等である。
【００３１】
この洗眼方法によれば、眼を開いて洗眼する際に、眼の真正面の方向を含まない傾斜した方向から、眼に水流が当たるから、前記背景技術のような水流が迫り上がってくる恐怖感を使用者に与えるおそれがなくなるので、使用者は、思わず眼を閉じたり細めたり、あるいは水流を弱めるような手加減をしたりすることがないため、効果的かつ快適に洗眼できるようになる。また、水流が眼の真正面の方向を含まない傾斜した方向から眼に当たることから周囲に拡散しにくくなるので、眼を効果的に洗眼できるようになる。
【００３２】
前記洗眼方法を図１（ａ）（ｂ）を用いて具体的に説明する。本発明の洗眼方法は、図１（ａ）（ｂ）およびこれの説明内容に限定されるものではないことを最初に述べておく。図１（ａ）は、眼５を真上から見た平面断面図、図１（ｂ）は、眼５を真正面から見た正面図である。
【００３３】
前記眼５の上部には上瞼６（ａ）が有り、下部には下瞼６（ｂ）が有る。眼５の内側部には、上瞼６（ａ）と下瞼６（ｂ）との繋がり部である目頭６（ｃ）が有り、眼５の外側部には、上瞼６（ａ）と下瞼６（ｂ）との繋がり部である目尻６（ｄ）が有る。ここで、目頭６（ｃ）と目尻６（ｄ）とは、上瞼６（ａ）と下瞼６（ｂ）の一部であると考えられるので、本実施形態では、上瞼６（ａ）、下瞼６（ｂ）、目頭６（ｃ）、目尻６（ｄ）を特に区別する必要の無いときは、これらを総称して瞼６と定義する。したがって、「瞼６」とあるときは、上瞼６（ａ）、下瞼６（ｂ）、目頭６（ｃ）、目尻６（ｄ）を含むものである。
【００３４】
前記眼５には、白目部分（強膜）５ａと黒目部分（角膜）５ｂとが有り、黒目部分５ｂで物を見ることができる。なお、７は眉毛、８は鼻である。
【００３５】
図１（ａ）のように、眼５の真正面の方向Ｄを含まない傾斜した方向Ｅから、眼５に一定圧以上の水圧の水流ａを当てて眼５を洗眼する。
【００３６】
前記眼５に水流ａを当てるために、水流ａを発生する水流発生手段と、この水流ａを眼５の真正面の方向Ｄを含まない傾斜した方向Ｅから眼５に当てるときの向きを調節する水向調節手段とを設ける。
【００３７】
また、水流ａを当てる眼５の場所（位置）、水流ａの強さ（勢い）、水流ａの本数の少なくとも１つを調節する水流調節手段は、必要に応じてに設けることができる。
【００３８】
前記水流発生手段は、例えば、液体を噴射して水流ａを発生するポンプ体等であり、必ずしも水流発生手段自体で、一定圧以上の水圧の水流ａを発生する必要は無く、水流調整手段で水流ａの強さを強くできるようにすれば、水流発生手段は、一定圧以下の水圧の水流ａを発生するものであっても良い。
【００３９】
前記水向調節手段は、水流ａを眼５の真正面の方向Ｄを含まない傾斜した方向Ｅから眼５に当てるときの向きを調節するものであり、前記水流発生手段が例えばスポイドや注射器のようなものであれば、狭くなったそれ自体の水流出口通路を利用して、水流ａの向きを調節することができる。
【００４０】
その他に例えば、液体を噴射するための孔を有する弁の孔の向きで水流ａの向きを調節することができ、液体を流動させるために回転するプロペラの向きで水流ａの向きを調節することができる。
【００４１】
前記水流調節手段は、水流ａを当てる眼５の場所（位置）、水流ａの強さ（勢い）、水流ａの本数の少なくとも１つを調節するものであり、前記水流発生手段が例えばスポイドや注射器のようなものであれば、狭くなったそれ自体の水流出口通路を利用して、水流出口通路の位置を変えることで水流ａを当てる眼５の場所（位置）、水流出口通路の口径を変えることで水流ａの強さ（勢い）、水流出口通路の本数を変えることで水流ａの本数を、それぞれ調節することができる。
【００４２】
その他に例えば、液体を噴射するための孔を有する弁の孔の位置を変えることで水流ａを当てる眼５の場所（位置）、孔の口径を変えることで水流ａの強さ（勢い）、孔のの本数を変えることで水流ａの本数を、それぞれ調節することができる。また、液体を流動させるために回転するプロペラの位置を変えることで水流ａを当てる眼５の場所（位置）、プロペラの形状を変えることで水流ａの強さ（勢い）、プロペラの本数を変えることで水流ａの本数を、それぞれ調節することができる。
【００４３】
すなわち、水流発生手段が例えばスポイドや注射器、蛇腹のようなものであれば、水向調節手段と水流調節手段とは、狭くなったそれ自体の水流出口通路を兼用することもできる。同様に、前記弁やプロペラも水向調節手段と水流調節手段とを兼用することができる。なお、水流調節手段と水向調節手段とは、兼用する必要は必ずしも無く、別体で設けてあっても良い。
【００４４】
ここで、「眼５の真正面の方向Ｄ」とは、図１（ａ）を参照すれば、眼５の前頂部における接線Ａと直交する法線Ｂに平行な方向の意味である。
【００４５】
「眼５の真正面の方向Ｄを含まない傾斜した方向Ｅ」とは、前記平行な方向Ｄに対して、ある角度で傾斜した方向Ｅを全て含む意味である。前記平行な方向Ｄを仮に０度とすれば、０度に対して、例えば略４５度で傾斜した方向Ｅ（４５）や略９０度で傾斜した方向Ｅ（９０）である。無論、傾斜の角度は、この２例に限られるものではなく、０度に対して、数度で傾斜した方向Ｅ´、あるいは、洗眼に関係が無い瞼６に水流ａが不必要に当たらなければ、９０度以上で傾斜した方向Ｅ´´であっても良い。
【００４６】
また、前記水向調節手段で水流ａを眼５に当てるには、眼５を真正面から見た場合に、眼５の全周囲（３６０度）のどの方向からでも良い。
【００４７】
さらに、前記水流調節手段で「水流ａを当てる眼５の位置」としては、眼５のどの位置でも構わないが、眼５を開いて洗眼する際に、水流ａが迫り上がってくる恐怖感を使用者に与えるおそれが少ない位置として好ましいのは、物を見ることができる黒目部分５ｂを外れた黒目部分５ｂの外端部と、洗眼に関係が無い瞼６の内端部との間の白目部分５ａや、上瞼６（ａ）や下瞼６（ｂ）のきわの部分である。なお、黒目部分５ｂに上瞼６（ａ）と下瞼６（ｂ）とが重なるに眼５の上部と下部には、通常は白目部分５ａがほとんど無いので、この位置に水流ａを当てる場合には、できるだけ黒目部分５ｂの周縁部の位置が好ましい。
【００４８】
本実施形態では、眼５の真正面の方向Ｄを含まない傾斜した方向Ｅの全てを「眼５の側方」と定義するが、最も好ましい「眼５の側方」は、「眼５の真正面の方向Ｄを含まない傾斜した方向Ｅ」として、例えば略４５度で傾斜した方向Ｅ（４５）であり、「水流ａを当てる眼５の位置」として、物を見ることができる黒目部分５ｂを外れた黒目部分５ｂの外端部と、洗眼に関係しない瞼６の内端部との間の白目部分５ａや、上瞼６（ａ）や下瞼６（ｂ）のきわの部分である。
【００４９】
前記「一定圧以上の水圧」とは、眼５を洗眼するのに十分な水圧（勢い）のことである。このような水圧の水流ａを眼５に当てることにより、眼５の汚れを洗い流すことができる。
【００５０】
前記水流ａを眼５に当てるには、水流ａを空中に飛ばして眼５に当てる方法や、眼５を液体中（例えば生理食塩水等）に浸した状態で、その液体を流動させて生じる水流ａを眼５に当てる方法がある。
【００５１】
前記空中を飛ばす方法に関しての水流ａの種類としては、１本の水流ａを飛ばす直単流や、複数本の水流ａを同時に飛ばす直複流がある。
【００５２】
前記直単流は、前記水流発生手段が例えばスポイドや注射器のようなものであれば、狭くなったそれ自体の水流出口通路や弁に開けた単孔から、それぞれ１本の水流ａを飛ばすことができる。前記直複流は、同様に、複数の前記水流出口通路や弁に開けた複数孔から、それぞれ複数本の水流ａを同時に飛ばすことができる。
【００５３】
前記直複流には、複数本の水流ａを眼５に当てるまで平行に飛ばす方法、複数本の水流ａを眼５に当たるまでに間隔を徐々に広がらせながら飛ばす方法、複数本の水流ａを眼５に当たるまでにそれぞれ方向を変えながら飛ばす方法がある。この「平行に飛ばす方法」は、複数の前記水流出口通路や弁に開けた複数孔をそれぞれストレート通路や孔にして飛ばすことができ、「間隔を徐々に広がらせながら飛ばす方法」は、同様に、複数の前記水流出口通路や弁に開けた複数孔をそれぞれ放射状のストレート通路や孔にして飛ばすことができ、「方向を変えながら飛ばす方法」は、同様に、複数の前記水流出口通路や弁に開けた複数孔をそれぞれ放射状のストレート通路や孔にして向きを変えることで飛ばすことができる。
【００５４】
前記直単流や直複流には、真っ直ぐに飛ぶ直（ストレート）流や、渦（若しくは螺旋）を巻きながら飛ぶ渦流がある。この渦流は、例えば前記プロペラの回転力を利用して液体に推進方向の渦流（立体的な回転流）を生じさせることで飛ばすことができる。
【００５５】
前記直単流や直複流は、眼５に直接的に当てる方法や、一旦眼５の表面に衝突させ、その後に向きを変えて眼５に向かう水流ａで間接的に眼５に当てる方法がある。また、前記直単流や直複流は、眼５に直接的若しくは間接的に当てないで、眼５の前方を通過させる方向Ｅ´´´として、その通過に伴って周囲に生じる渦流若しくは対流による水流ａを眼に当てる方法もある。
【００５６】
前記直単流や直複流は、一方側（例えば目尻側）からのみ眼５に当てるだけではなく、他方側（例えば目頭側）からも同時若しくは交互などのように選択して眼５に当てることができる。その他、上瞼側や下瞼側からも同時若しくは交互などのように選択して眼５に当てることができる。また、前記直単流や直複流は、一方側や他方側の１箇所から眼５に当てるだけでは無く、一方側や他方側のそれぞれ複数箇所から眼５に当てることもできる。
【００５７】
また、前記直単流や直複流は、眼５に直接向かった水流ａである場合に限らず、例えば、眼５の真正面から眼５に向かうような水流ａであっても良い。この場合には、例えば、その水流ａが衝突する衝突壁を設け、この水流ａを衝突壁の外側を回り込ませることにより、眼５に向かう水流ａとすることができる。
【００５８】
前記液体を流動させる方法に関しての水流ａの種類としては、後述する容器２（図２、図３参照）等が必要となるが、この容器２に入れた液体中に眼５を浸した状態で、前記直単流や直複流を、容器２内の液体を押し分けながら眼５に直接当てる方法や、前記直単流や直複流を利用して容器２内の液体に対流（平面的な回転流）を生じさせ、この対流による水流ａ´〔図１（ｂ）参照〕を眼５に当てる方法や、前記プロペラの回転力等を利用して容器２内の液体に渦流（立体的な回転流）を生じさせ、推進方向若しくは反推進方向の渦流により生じる水流ａを眼５に当てる方法がある。なお、対流を生じさせる場合には、前記直単流や直複流を利用する以外に、水流発生手段の水流出口通路から噴射する空気流を利用して、容器２内の液体に対流を生じさせることもできる。
【００５９】
前記直単流や直複流の強さ（勢い）は、前記弁に開ける孔をオリフィスにする等して調節でき、渦流の強さ（勢い）は、前記プロペラの長さや傾き、回転力等で調節できる。
【００６０】
前記弁のような水向調節手段や水流調節手段は、水流ａを発生させる水流発生手段とは別に、水流発生手段の水流出口通路に一体で形成し、若しくは別体で設ける他、後述する容器２（図２、図３参照）の壁部に水流発生手段の水流出口通路を連結するのであれば、その連結壁部に一体で形成し、若しくは別体で設けることができ、また、容器２内に設けた遮蔽板に水向調節手段や水流調節手段を一体で形成し、若しくは別体で設けることもできる。
【００６１】
前記プロペラのような水向調節手段や水流調節手段は、渦流を発生させるためにプロペラが回転するのであれば、前記弁のような水向調節手段や水流調節手段と同様に、水流発生手段の水流出口通路や連結壁部、または容器２内に設けることができる。このプロペラのような水向調節手段や水流調節手段は、必ずしもプロペラが回転するものに限られるものではなく、要するに、渦流を発生させるものであるから、容器２内に設けた衝突壁の形状、容器２の内壁に設けた突起形状、螺旋形状、羽根形状等でも、渦流を発生させることができる。
【００６２】
（２）本発明の実施形態に係る第２の洗眼方法を説明する。
【００６３】
前記水流ａを眼５に当てるに際しては、開口を有する容器２（図２、図３参照）を用いて、その開口の周縁部を眼５の周囲の顔部分に押し当てた状態で行うようにしても良い。
【００６４】
この方法であれば、一方の手で容器２を眼５の周囲の顔部分に押し当てながら、他方の手で水流発生手段を操作することができる。しかも、開口の周縁部を眼５の周囲の顔部分に押し当てることにより、瞼６を自然に押し広げることができるので、確実に眼５を見開いた状態で水流ａを眼５に当てて、眼５の汚れを落とすことができる。また、容器２によって、水流ａを構成する液体を周囲に飛散させるおそれがない。
【００６５】
（３）本発明の実施形態に係る第１の洗眼具１を説明する。
【００６６】
図２および図３を参照すれば、洗眼具１は、一定圧以上の水圧の水流ａを発生する水流発生手段３と、この水流ａを眼５に当てるときの向きを調節する水向調節手段４Ａと、水流ａを当てる眼５の場所（位置）、水流ａの強さ（勢い）、水流ａの本数を調節する水流調節手段４Ｂとを備えたものである。なお、水流調節手段４Ｂは必要に応じて設けることができる。
【００６７】
前記水流発生手段３は、液体（例えば生理食塩水等）を噴射することにより水流ａを発生するポンプ体等である。前記ポンプ体としては、例えば弾性体等でスポイト状やジャバラ状に構成されて、押し離し操作により内部の液体を噴射する弾性変形型のもの、あるいはシリンダー状に構成され、またはプッシュボタンが設けられて、これらをプッシュ操作することにより内部の液体を噴射するプッシュ操作型のもの等がある。また、水流発生手段３としては、液体を噴射することにより水流ａを発生する他、液体をプロペラ等で攪拌することにより水流ａを発生するものも含まれる。
【００６８】
前記水向調節手段４Ａと水流調節手段４Ｂは、例えば、孔を有する弁や回転するプロペラであり、前記「（１）本発明の実施形態に係る第１の洗眼方法」の項で説明したのと同じである。
【００６９】
前記水流発生手段３を操作して水流ａを発生させ、水向調節手段４Ａにより、眼５の真正面の方向Ｄを含まない傾斜した方向Ｅから水流ａを眼５に当てるとともに、水流調節手段４Ｂで、水流ａを当てる眼５の場所、水流ａの強さを調節するものである。
【００７０】
本発明の実施形態に係る第１の洗眼具１では、水流発生手段３と水向調節手段４Ａ（水流調節手段４Ｂは必要に応じて設けることができる。）とを備えているから、水流発生手段３と水向調節手段４Ａとによって、眼５の真正面の方向Ｄを含まない傾斜した方向Ｅから眼５に水流ａを当てるだけで、眼５を洗眼することができる。
【００７１】
（４）本発明の実施形態に係る第２の洗眼具１を説明する。
【００７２】
図３に示すように、洗眼具１としては、前記水流発生手段３と水向調節手段４Ａ（水流調節手段４Ｂは必要に応じて設けることができる。）と、容器２とを組合わせても良い。
【００７３】
前記容器２は、上向きの開口２ｄを有する有底カップ状をなし、開口２ｄが眼５の周囲の顔部分の形状に合うような略楕円形状に形成されている。
【００７４】
容器２の開口２ｄの周縁部２ａは、短軸方向から長軸方向に向かうに従って周壁の高さが次第に高くなるように曲線状に形成されているとともに、長軸方向の一方の周壁２ｅが他方の周壁２ｆよりも高くなっていて、この高い方の周壁２ｅを目尻側にして眼５の周囲の顔部分に押し当てると、開口２ｄの周縁部２ａと眼５の周囲の顔部分とが密着するようになっている。
【００７５】
前記開口２ｄの周縁部２ａは、眼５の周囲の顔部分に押し当てられる際に皮膚等を傷つけることがないように、丸みを帯びた形状に形成されていることが好ましい。なお、周縁部２ａは、開口２ｄの周縁から外側に向かって広がって、眼５の周囲の顔部分に面で接触するような鍔状に形成されていても良い。
【００７６】
前記容器２の高い方の周壁２ｅには、前記水流発生手段３が一体として設けられている。なお、容器２と水流発生手段３とを別体として、洗眼時に合わせ用いるようにしても良い。この水流発生手段３は、例えばスポイドや注射器、蛇腹のようなもので、狭くなったそれ自体の水流出口通路（水向調節手段４Ａ）３ａから水流を噴射させて眼に当てることができる。図３の例では、水流発生手段３の水流出口通路３ａに、水向調節手段４Ａと水流調節手段４Ｂの１例である弁に孔を開けたものを別体で設けたものを示している。
【００７７】
この水流発生手段３および水向調節手段４Ａと、容器２とを組合わせた構成の洗眼具１を使用するには、前記「（１）本発明の実施形態に係る第１の洗眼方法」の項で説明したように、前記水流ａを空中に飛ばして眼５に当てる方法では、容器２に液体を充たさない状態で、容器２の開口２ｄの周縁部２ａを眼５の周囲の顔部分に押し当てて、水流発生手段３を操作すると、水向調節手段４Ａによって、眼５の真正面の方向Ｄを含まない傾斜した方向Ｅから眼５に水流ａを当てて、眼５を洗眼することができる。
【００７８】
また、眼５を液体中に浸した状態で、その液体を流動させて生じる水流ａを眼５に当てる方法では、前記容器２に眼５の一部分が浸る程度の液体を充たした状態で、容器２の開口２ｄの周縁部２ａを眼５の周囲の顔部分に押し当てて、水流発生手段３を操作すると、水向調節手段４Ａによって、液体の流動による対流や渦流等で眼５の真正面の方向Ｄを含まない傾斜した方向Ｅから眼５に水流ａを当てて、眼５を洗眼することができる。
【００７９】
なお、容器２に液体貯留部を設けて、眼５に当たった液体が液体貯留部に溜まるようにしたり、あるいは容器２の容積を十分に大きくしたりして、眼５に当たった洗眼に用いた液体が再び眼５に接触しないようにしても良い。
【００８０】
このような構成の洗眼具１であれば、一方の手で容器２を眼５の周囲の顔部分に押し当てながら、他方の手で水流発生手段３を操作することができる。しかも、開口２ｄの周縁部２ａを眼５の周囲の顔部分に押し当てることにより、瞼６を自然に押し広げることができるので、眼５を見開いた状態で、眼５に真正面方向Ｄを含まない方向から水流ａを当てて洗眼することができる。また、容器２によって、水流ａを構成する液体を周囲に飛散させるおそれがない。なお、開口２ｄの周縁部２ａを、上述したように鍔状とした場合には、周縁部２ａと眼５の周囲の顔部分とが面で接触するようになるので、より瞼６を押し広げ易くなる。
【００８１】
前記容器２は、硬質プラスチックまたは軟質プラスチック等のプラスチック材料等で弾性変形可能に構成されていることが好ましく、容器２を摘んで弾性変形させた状態で眼５の周囲の顔部分に当て、摘み状態を解除することにより、その復元力を利用して、より大きく眼５を見開くことができる。
【００８２】
また、水流発生手段３として、ポンプ体を採用することが好ましく、ポンプ体であれば、ポンプ体を押し離し操作することにより、簡単に水流ａを生じさせることができる。
【００８３】
図２および図３では、水流発生手段３を容器２の周壁２ｅに一体成形しているが、水流発生手段３と水向調節手段４Ａとを容器２と別体に設けて、容器２に水流発生手段３と水向調節手段４Ａとを着脱可能に取付けても良い。この取付け構造としては、差込式あるいはネジ止め式等の構造を採用することが可能である。また、水流発生手段３と水向調節手段４Ａとは、容器２の高い方の周壁２ｅに限らず、容器２のどの部分の周壁に設けても良いし、底壁に設けることも可能である。さらに、水流発生手段３と水向調節手段４Ａとは、容器２に１個だけ設けるのでは無く、容器２の異なる位置に複数個を設けても良い。さらにまた、水向調節手段４Ａとしての水流出口通路３ａは、１個の水流発生手段３に１個だけ形成するのでは無く、複数個を形成しても良い。
【００８４】
図２および図３では、水流発生手段３の水流出口通路３ａに、水向調節手段４Ａと水流調節手段４Ｂの１例である弁に単孔を開けたものを別体で設けているが、弁を水流出口通路３ａに一体で形成しても良く、単孔を開けた弁のみならず、複数孔を開けた弁でも良い。また、容器２に水流発生手段３と水向調節手段４Ａとを着脱可能に取付けるタイプでは、水流出口通路３ａを連結する容器２の連結壁部に弁を一体で形成し、若しくは別体で設けても良い。また、容器２内に設けた遮蔽板に弁を一体で形成し、若しくは別体で設けても良く、この場合には、弁と遮蔽板とを組み合わせたものが水向調節手段４Ａと水流調節手段４Ｂとになる。
【００８５】
前記洗眼具１においては、水流発生手段３内に液体を充填しておくことができる。具体的には、水流発生手段３内に液体を収容した状態で、フィルムシート等で開封可能に密封すれば良い。または、水流発生手段３と容器２とが組合わされたものであれば、容器２内に液体を充填しておいても良い。
【００８６】
洗眼具１に液体が充填されていれば、直に眼５を洗眼することができる。また、洗眼具１を携行していれば、別途液体を準備することなくこの洗眼具１のみで眼５を洗眼することができ、至便性を向上させることができる。
【００８７】
（５）本発明の実施形態に係る洗眼具セットを説明する。
【００８８】
洗眼具セットは、洗眼具１と、洗眼具１で使用される液体が入った液体用容器とが組合わされてなるものである。この洗眼具１としては、水流発生手段３と水向調節手段４Ａだけのもの、さらに容器２とが組合わされたもの、あるいは液体が充填されたもの等、前記実施形態で示したどの形態のものであっても良い。
【００８９】
例えば、水流発生手段３および水向調節手段４Ａ（水流調節手段４Ｂは必要に応じて設けることができる。）を備えた洗眼具１と、液体用容器とが組合わされてなるセットであれば、液体用容器内の液体を一旦水流発生手段３に吸引させ、その液体を噴射させて水流を発生させることにより、眼５を洗眼することができる。
【００９０】
または、水流発生手段３および水向調節手段４Ａ（水流調節手段４Ｂは必要に応じて設けることができる。）と容器２とが組合わされた洗眼具１と、液体用容器とが組合わされてなるセットであれば、液体用容器から洗眼具１の容器２に一旦液体を注ぎ、この容器２内に溜まった液体を水流発生手段３に吸引させ、その後に水流発生手段３を操作することにより、あるいは容器２内に液体を溜めたままで水流発生手段３を操作することにより、眼５を洗眼することができる。あるいは、液体が溜まった水流発生手段３を容器２に組み合わせて操作することもできる。
【００９１】
あるいは、洗眼具１に液体が充填されたものであれば、当該液体を使用した後に、液体用容器の液体を用いて再度充填することができる。
【００９２】
従って、この洗眼具セットによれば、別途液体を準備することなく、１回だけ、あるいは何回でも眼５を洗眼することが可能になる。また、洗眼具セットを携行していれば、どのような場所でも眼５を洗眼することができる。
【図面の簡単な説明】
【００９３】
【図１】本発明の実施形態の洗眼方法の説明図であり、（ａ）は眼を真上から見た平面断面図、（ｂ）は眼を真正面から見た正面図である。
【図２】本発明の実施形態の洗眼具の側面図である。
【図３】図２の洗眼具の側面断面図である。
【符号の説明】
【００９４】
１    洗眼具
２    容器
２ａ  周縁部
２ｄ  開口
３    水流発生手段
３ａ  水流出口通路
４Ａ    水向調節手段
４Ｂ    水流調節手段
５    眼
５ａ  白目部分（強膜）
５ｂ  黒目部分（角膜）
６    瞼
ａ    水流
Ｄ    眼の真正面方向
Ｅ    眼の真正面の方向を含まない傾斜した方向
【図１】
2006026386.tif 000003
【図２】
2006026386.tif 000004
【図３】
2006026386.tif 000005